(57)【要約】【課題】電力を供給する設備に発生した障害の影響を容易に地図に反映する。【解決手段】電力需要者に電力を供給する変電所の識別子と、変電所と関係のある設備の識別子とを関連づけた設備データ２１と、変電所の識別子と、変電所が電力を供給する地域のオブジェクトが関連づけられた地図データ２３と、入力装置１０４から障害が発生した設備の識別子が入力されると、設備データ２１を読み出して、入力された設備の識別子に関連づけられた変電所の識別子を抽出して、障害設備データ３１として出力する障害設備出力手段１１と、地図データ２３及び障害設備データ３１を読み出して、障害設備データ３１に含まれた変電所の識別子に該当する地域を塗り分けた出力データを出力する地図出力手段１４とを備える。【選択図】      図１
2007080218.tif 000002
【特許請求の範囲】
【請求項１】
電力を供給する設備に発生した障害の影響を容易に地図に反映することのできる地図出力装置であって、
電力需要者に電力を供給する変電所の識別子と、前記変電所と関係のある設備の識別子とを関連づけて記憶装置に記憶する設備データ記憶手段と、
前記変電所の識別子と、前記変電所が電力を供給する地域のオブジェクトが関連づけられた地図データを前記記憶装置に記憶する地図データ記憶手段と、
入力装置から障害が発生した設備の識別子が入力されると、前記記憶装置から設備データを読み出して、入力された設備の識別子に関連づけられた前記変電所の識別子を抽出して、障害設備データとして前記記憶装置に記憶する障害設備出力手段と、
前記記憶装置から前記地図データ及び前記障害設備データを読み出して、前記障害設備データに含まれた変電所の識別子に該当する地域を塗り分けた出力データを前記記憶装置に記憶する地図出力手段
とを備えることを特徴とする地図出力装置。
【請求項２】
前記変電所の識別子と、前記変電所に電力を供給する地域を含むエリアの識別子が関連づけられたエリアデータを前記記憶装置に記憶するエリアデータ記憶手段と、
前記記憶装置から障害設備データ及び前記エリアデータを読み出して、障害設備データに含まれる前記変電所の識別子に関連づけられたエリアの識別子を抽出して関係エリアデータとして前記記憶装置に記憶する関係エリア出力手段を更に備え、
前記地図データ記憶手段は、エリアの識別子毎に地図データを記憶し、
前記地図出力手段は、更に前記記憶装置から前記関係エリアデータを読み出して、前記関係エリアデータに含まれるエリアの識別子に関連づけられた地図データを抽出して、出力データを前記記憶装置に記憶する
ことを特徴とする請求項１に記載の地図出力装置。
【請求項３】
前記地図データは、前記変電所によって電力が供給されるエリアのオブジェクトを含むレイヤーと、当該エリアを説明する文言を含むレイヤーを更に備え、
前記記憶装置から前記地図データを読み出して、前記地図データを地図データの地色で塗りつぶした後、前記エリアを説明する文言を含むレイヤーに対する塗りつぶしを解除した初期化データを前記記憶装置に記憶する初期化手段
を更に備えることを特徴とする請求項１に記載の地図出力装置。
【請求項４】
前記障害設備出力手段は、前記入力装置から障害が発生した設備の識別子と前記設備によって影響を受けたエリアを塗り分ける属性の識別子が入力されると、前記記憶装置から設備データを読み出して、入力された設備の識別子に関連づけられた前記変電所の識別子を抽出して、入力された前記属性の識別子と関連づけて障害設備データとして前記記憶装置に記憶し、
前記地図出力手段は、前記記憶装置から前記地図データ及び前記障害設備データを読み出して、前記障害設備データに含まれた変電所の識別子に該当する地域を、前記障害設備データで関連づけられた属性の識別子で塗り分けた出力データを前記記憶装置に記憶する
ことを特徴とする請求項１乃至３のいずれか１項に記載の地図出力装置。
【請求項５】
変電所が電力を供給するエリアを地図に反映することのできる地図出力装置であって、
前記変電所の識別子と、前記変電所によって電力が供給されるエリアを含むエリアの識別子とを関連づけて前記記憶装置に記憶するエリアデータ記憶手段と、
前記エリアの識別子と、前記変電所の識別子と、前記変電所が電力を供給する地域のオブジェクトが関連づけられた地図データを前記記憶装置に記憶する地図データ記憶手段と、
入力装置から前記変電所の識別子が入力されると、前記記憶装置から前記エリアデータを読み出して、入力された前記変電所の識別子に関連づけられた前記エリアデータを抽出するとともに、前記記憶装置から前記地図データを読み出して、前記入力された変電所の識別子に該当する地域を塗り分けた出力データを前記エリアの識別子毎に前記記憶装置に記憶する地図出力手段
とを備えることを特徴とする地図出力装置。
【請求項６】
電力を供給する設備に発生した障害の影響を容易に地図に反映することのできる地図出力プログラムであって、
電力需要者に電力を供給する変電所の識別子と、前記変電所と関係のある設備の識別子とを関連づけて記憶装置に記憶する設備データ記憶手段と、
前記変電所の識別子と、前記変電所が電力を供給する地域のオブジェクトが関連づけられた地図データを前記記憶装置に記憶する地図データ記憶手段と、
入力装置から障害が発生した設備の識別子が入力されると、前記記憶装置から設備データを読み出して、入力された設備の識別子に関連づけられた前記変電所の識別子を抽出して、障害設備データとして前記記憶装置に記憶する障害設備出力手段と、
前記記憶装置から前記地図データ及び前記障害設備データを読み出して、前記障害設備データに含まれた変電所の識別子に該当する地域を塗り分けた出力データを前記記憶装置に記憶する地図出力手段
とをコンピュータに実行させることを特徴とする地図出力プログラム。
【請求項７】
前記変電所の識別子と、前記変電所に電力を供給する地域を含むエリアの識別子が関連づけられたエリアデータを前記記憶装置に記憶するエリアデータ記憶手段と、
前記記憶装置から障害設備データ及び前記エリアデータを読み出して、障害設備データに含まれる前記変電所の識別子に関連づけられたエリアの識別子を抽出して関係エリアデータとして前記記憶装置に記憶する関係エリア出力手段を更にコンピュータに実行させ、
前記地図データ記憶手段は、エリアの識別子毎に地図データを記憶し、
前記地図出力手段は、更に前記記憶装置から前記関係エリアデータを読み出して、前記関係エリアデータに含まれるエリアの識別子に関連づけられた地図データを抽出して、出力データを前記記憶装置に記憶する
ことを特徴とする請求項６に記載の地図出力プログラム。
【請求項８】
前記地図データは、前記変電所によって電力が供給されるエリアのオブジェクトを含むレイヤーと、当該エリアを説明する文言を含むレイヤーを更にコンピュータに実行させ、
前記記憶装置から前記地図データを読み出して、前記地図データを地図データの地色で塗りつぶした後、前記エリアを説明する文言を含むレイヤーに対する塗りつぶしを解除した初期化データを前記記憶装置に記憶する初期化手段
を更にコンピュータに実行させることを特徴とする請求項６に記載の地図出力プログラム。
【請求項９】
前記障害設備出力手段は、前記入力装置から障害が発生した設備の識別子と前記設備によって影響を受けたエリアを塗り分ける属性の識別子が入力されると、前記記憶装置から設備データを読み出して、入力された設備の識別子に関連づけられた前記変電所の識別子を抽出して、入力された前記属性の識別子と関連づけて障害設備データとして前記記憶装置に記憶し、
前記地図出力手段は、前記記憶装置から前記地図データ及び前記障害設備データを読み出して、前記障害設備データに含まれた変電所の識別子に該当する地域を、前記障害設備データで関連づけられた属性の識別子で塗り分けた出力データを前記記憶装置に記憶する
ことを特徴とする請求項６乃至８のいずれか１項に記載の地図出力プログラム。
【請求項１０】
変電所が電力を供給するエリアを地図に反映することのできる地図出力プログラムであって、
前記変電所の識別子と、前記変電所によって電力が供給されるエリアを含むエリアの識別子とを関連づけて前記記憶装置に記憶するエリアデータ記憶手段と、
前記エリアの識別子と、前記変電所の識別子と、前記変電所が電力を供給する地域のオブジェクトが関連づけられた地図データを前記記憶装置に記憶する地図データ記憶手段と、
入力装置から前記変電所の識別子が入力されると、前記記憶装置から前記エリアデータを読み出して、入力された前記変電所の識別子に関連づけられた前記エリアデータを抽出するとともに、前記記憶装置から前記地図データを読み出して、前記入力された変電所の識別子に該当する地域を塗り分けた出力データを前記エリアの識別子毎に前記記憶装置に記憶する地図出力手段
とをコンピュータに実行させることを特徴とする地図出力プログラム。
【発明の詳細な説明】
【技術分野】
【０００１】
本発明は、変電所が電力を供給するエリアを地図に反映することのできる地図出力装置及び地図出力プログラムに関する。
【背景技術】
【０００２】
電力需要者に電力を供給するために、送電線や変電所などの設備が備えられている。これらの設備は日々保守点検され、円滑な電力の供給が行われているが、落雷などの不測の事態により設備が故障し、電力が供給されず停電等の事故が発生する場合がある。
【０００３】
事故が発生した場合に、その事故の影響を的確に把握するために、関係者に図１８に示すような事故速報が送信される。図１８に示す様に、障害の発生した設備、発生場所、発生日時、障害による影響の及ぶ範囲、復旧の見通しなどの情報などのうち、把握された情報が事故情報として送信される。この事故情報に、障害の影響を受けるエリアを示す地図が添付されるが、この地図は手書きで作成されている。
【０００４】
一方、地図を分割した領域に関する情報を取得する情報提供サービスがある（例えば、特許文献１。）。この特許文献１に記載の技術では、項目欄で取得する情報項目を選択することにより、選択情報に基づいて地図欄に表示されている地図が塗り分けられる。
【０００５】
又、目的に応じた地域分析図を自動生成する地域分析図作成システムがある（例えば、特許文献２。）。この特許文献２に記載の技術では、入力装置から指定された地点、地域及び分析目的に応じ、記憶装置内の地図データベース及び分析知識ベースに基づいて中央処理装置が分析目的に応じて地点、地域を評価する。これにより、目的に応じた分析手法の選択、複数の分析手法の組合せ利用、環境、状況の変化に対応した分析手法の効率化が図れる。
【特許文献１】特開２００４−１１８２８０号公報
【特許文献２】特開平３−２９３３８９号公報
【発明の開示】
【発明が解決しようとする課題】
【０００６】
しかし、上述した特許文献１及び特許文献２に記載の技術では、電力を供給する送電線や変電所などの障害による設備の障害を被る地域を地図表示する場合には適切ではない。具体的には、一つの設備で障害が発生すると他の設備でも障害が発生するような相関関係を有した複数の設備について発生した障害に関する情報を、複数の地域に区分されたエリアに対して反映させるのは大変困難である。
【０００７】
従って本発明の目的は、電力供給設備に発生した障害の影響を容易に地図に反映することのできる地図出力装置及び地図出力プログラムを提供することである。
【課題を解決するための手段】
【０００８】
上記課題を解決するために、本発明の第１の特徴は、電力を供給する設備に発生した障害の影響を容易に地図に反映することのできる地図出力装置に関する。即ち本発明の第１の特徴に係る地図出力装置は、電力需要者に電力を供給する変電所の識別子と、変電所と関係のある設備の識別子とを関連づけて記憶装置に記憶する設備データ記憶手段と、変電所の識別子と、変電所が電力を供給する地域のオブジェクトが関連づけられた地図データを記憶装置に記憶する地図データ記憶手段と、入力装置から障害が発生した設備の識別子が入力されると、記憶装置から設備データを読み出して、入力された設備の識別子に関連づけられた変電所の識別子を抽出して、障害設備データとして記憶装置に記憶する障害設備出力手段と、記憶装置から地図データ及び障害設備データを読み出して、障害設備データに含まれた変電所の識別子に該当する地域を塗り分けた出力データを記憶装置に記憶する地図出力手段とを備える。
【０００９】
この様な本発明によれば、入力装置から障害が発生した設備の識別子が入力されると、その障害の影響を受ける設備及び影響を受けるエリアを抽出し、そのエリアが任意の色、模様などで塗り分けられた地図を出力することができる。
【００１０】
ここで、変電所の識別子と、変電所に電力を供給する地域を含むエリアの識別子が関連づけられたエリアデータを記憶装置に記憶するエリアデータ記憶手段と、記憶装置から障害設備データ及びエリアデータを読み出して、障害設備データに含まれる変電所の識別子に関連づけられたエリアの識別子を抽出して関係エリアデータとして記憶装置に記憶する関係エリア出力手段を更に備えることが好ましい。このとき、地図データ記憶手段は、エリアの識別子毎に地図データを記憶し、地図出力手段は、更に記憶装置から関係エリアデータを読み出して、関係エリアデータに含まれるエリアの識別子に関連づけられた地図データを抽出して、出力データを記憶装置に記憶する。この様な発明によれば、全体地図や詳細地図など尺度の異なる複数の地図があった場合や、一つの変電所が供給するエリアが複数の地図にまたがっている場合でも、障害の発生した変電所が電力を供給するエリアを含む地図を出力することができる。
【００１１】
又、地図データは、変電所によって電力が供給されるエリアのオブジェクトを含むレイヤーと、当該エリアを説明する文言を含むレイヤーを更に備え、記憶装置から地図データを読み出して、地図データを地図データの地色で塗りつぶした後、エリアを説明する文言を含むレイヤーに対する塗りつぶしを解除した初期化データを記憶装置に記憶する初期化手段を更に備えることが好ましい。
【００１２】
又、障害設備出力手段は、入力装置から障害が発生した設備の識別子と設備によって影響を受けたエリアを塗り分ける属性の識別子が入力されると、記憶装置から設備データを読み出して、入力された設備の識別子に関連づけられた変電所の識別子を抽出して、入力された属性の識別子と関連づけて障害設備データとして記憶装置に記憶し、地図出力手段は、記憶装置から地図データ及び障害設備データを読み出して、障害設備データに含まれた変電所の識別子に該当する地域を、障害設備データで関連づけられた属性の識別子で塗り分けた出力データを記憶装置に記憶することが好ましい。この様な発明によれば、障害の程度などの指標に基づいてエリアを塗り分け、視認性の高い地図を出力することができる。
【００１３】
本発明の第２の特徴は、変電所が電力を供給するエリアを地図に反映することのできる地図出力装置に関する。即ち本発明の第２の特徴に係る地図出力装置は、変電所の識別子と、変電所によって電力が供給されるエリアを含むエリアの識別子とを関連づけて記憶装置に記憶するエリアデータ記憶手段と、エリアの識別子と、変電所の識別子と、変電所が電力を供給する地域のオブジェクトが関連づけられた地図データを記憶装置に記憶する地図データ記憶手段と、入力装置から変電所の識別子が入力されると、記憶装置からエリアデータを読み出して、入力された変電所の識別子に関連づけられたエリアデータを抽出するとともに、記憶装置から地図データを読み出して、入力された変電所の識別子に該当する地域を塗り分けた出力データをエリアの識別子毎に記憶装置に記憶する地図出力手段とを備える。この様な本発明によれば、変電所が電力を供給する任意のエリアを入力することにより、当該エリアを塗り分けた地図を自動的に出力することができる。
【００１４】
本発明の第３の特徴は、電力を供給する設備に発生した障害の影響を容易に地図に反映することのできる地図出力プログラムに関する。即ち本発明の第３の特徴に係る地図出力プログラムは、電力需要者に電力を供給する変電所の識別子と、変電所と関係のある設備の識別子とを関連づけて記憶装置に記憶する設備データ記憶手段と、変電所の識別子と、変電所が電力を供給する地域のオブジェクトが関連づけられた地図データを記憶装置に記憶する地図データ記憶手段と、入力装置から障害が発生した設備の識別子が入力されると、記憶装置から設備データを読み出して、入力された設備の識別子に関連づけられた変電所の識別子を抽出して、障害設備データとして記憶装置に記憶する障害設備出力手段と、記憶装置から地図データ及び障害設備データを読み出して、障害設備データに含まれた変電所の識別子に該当する地域を塗り分けた出力データを記憶装置に記憶する地図出力手段とをコンピュータに実行させる。
【００１５】
ここで、変電所の識別子と、変電所に電力を供給する地域を含むエリアの識別子が関連づけられたエリアデータを記憶装置に記憶するエリアデータ記憶手段と、記憶装置から障害設備データ及びエリアデータを読み出して、障害設備データに含まれる変電所の識別子に関連づけられたエリアの識別子を抽出して関係エリアデータとして記憶装置に記憶する関係エリア出力手段を更にコンピュータに実行させ、地図データ記憶手段は、エリアの識別子毎に地図データを記憶し、地図出力手段は、更に記憶装置から関係エリアデータを読み出して、関係エリアデータに含まれるエリアの識別子に関連づけられた地図データを抽出して、出力データを記憶装置に記憶することが好ましい。
【００１６】
又、地図データは、変電所によって電力が供給されるエリアのオブジェクトを含むレイヤーと、当該エリアを説明する文言を含むレイヤーを更にコンピュータに実行させ、記憶装置から地図データを読み出して、地図データを地図データの地色で塗りつぶした後、エリアを説明する文言を含むレイヤーに対する塗りつぶしを解除した初期化データを記憶装置に記憶する初期化手段を更にコンピュータに実行させることが好ましい。
【００１７】
更に、障害設備出力手段は、入力装置から障害が発生した設備の識別子と設備によって影響を受けたエリアを塗り分ける属性の識別子が入力されると、記憶装置から設備データを読み出して、入力された設備の識別子に関連づけられた変電所の識別子を抽出して、入力された属性の識別子と関連づけて障害設備データとして記憶装置に記憶し、地図出力手段は、記憶装置から地図データ及び障害設備データを読み出して、障害設備データに含まれた変電所の識別子に該当する地域を、障害設備データで関連づけられた属性の識別子で塗り分けた出力データを記憶装置に記憶することが好ましい。
【００１８】
本発明の第４の特徴は、変電所が電力を供給するエリアを地図に反映することのできる地図出力プログラムに関する。即ち本発明の第４の特徴に係る地図出力プログラムは、変電所の識別子と、変電所によって電力が供給されるエリアを含むエリアの識別子とを関連づけて記憶装置に記憶するエリアデータ記憶手段と、エリアの識別子と、変電所の識別子と、変電所が電力を供給する地域のオブジェクトが関連づけられた地図データを記憶装置に記憶する地図データ記憶手段と、入力装置から変電所の識別子が入力されると、記憶装置からエリアデータを読み出して、入力された変電所の識別子に関連づけられたエリアデータを抽出するとともに、記憶装置から地図データを読み出して、入力された変電所の識別子に該当する地域を塗り分けた出力データをエリアの識別子毎に記憶装置に記憶する地図出力手段とをコンピュータに実行させる。
【発明の効果】
【００１９】
本発明によれば、電力供給設備に発生した障害の影響を容易に地図に反映することのできる地図出力装置及び地図出力プログラムを提供することができる。
【発明を実施するための最良の形態】
【００２０】
次に、図面を参照して、本発明の実施の形態を説明する。以下の図面の記載において、同一又は類似の部分には同一又は類似の符号を付している。
【００２１】
（最良の実施の形態）
本発明の最良の実施の形態に係る地図出力装置１は、電力を供給する設備に発生した障害の影響を容易に地図に反映することのできる装置である。地図出力装置１は、記憶装置１０７ａ、１０７ｂ及び中央処理制御装置１０１を備える。より具体的には、図２に示すように、本発明の最良の実施の形態に係る地図出力装置１は、中央処理制御装置１０１、ＲＯＭ（Read Only Memory）１０２、ＲＡＭ（Random Access Memory）１０３及び入出力インタフェース１０９が、バス１１０を介して接続されている。入出力インタフェース１０９には、入力装置１０４、表示装置１０５、通信制御装置１０６、記憶装置１０７及びリムーバブルディスク１０８が接続されている。
【００２２】
中央処理制御装置１０１は、入力装置１０４からの入力信号に基づいてＲＯＭ１０２から地図出力装置１を起動するためのブートプログラムを読み出して実行し、更に記憶装置１０７に記憶されたオペレーティングシステムを読み出す。更に中央処理制御装置１０１は、入力装置１０４や通信制御装置１０６などの入力信号に基づいて、各種装置の制御を行ったり、ＲＡＭ１０３や記憶装置１０７などに記憶されたプログラム及びデータを読み出してＲＡＭ１０３にロードするとともに、ＲＡＭ１０３から読み出されたプログラムのコマンドに基づいて、データの計算又は加工など、後述する一連の処理を実現する処理装置である。
【００２３】
入力装置１０４は、操作者が各種の操作を入力するキーボード、マウスなどの入力デバイスにより構成されており、操作者の操作に基づいて入力信号を作成し、入出力インタフェース１０９及びバス１１０を介して中央処理制御装置１０１に送信される。表示装置１０５は、ＣＲＴ（Cathode Ray Tube）ディスプレイや液晶ディスプレイなどであり、中央処理制御装置１０１からバス１１０及び入出力インタフェース１０９を介して表示装置１０５において表示させる出力信号を受信し、例えば中央処理制御装置１０１の処理結果などを表示する装置である。通信制御装置１０６は、ＬＡＮカードやモデムなどの装置であり、地図出力装置１をインターネットやＬＡＮなどの通信ネットワークに接続する装置である。通信制御装置１０６を介して通信ネットワークと送受信したデータは入力信号又は出力信号として、入出力インタフェース１０９及びバス１１０を介して中央処理制御装置１０１に送受信される。
【００２４】
記憶装置１０７は半導体記憶装置や磁気ディスク装置であって、中央処理制御装置１０１で実行されるプログラムやデータが記憶されている。リムーバブルディスク１０８は、光ディスクやフレキシブルディスクのことであり、ディスクドライブによって読み書きされた信号は、入出力インタフェース１０９及びバス１１０を介して中央処理制御装置１０１に送受信される。
【００２５】
本発明の最良の実施の形態に係る地図出力装置１の記憶装置１０７には、地図出力プログラムが記憶されるとともに、設備データ２１、エリアデータ２２、地図データ２３、障害設備データ３１、関係エリアデータ３２、初期化データ３３、出力データ３４が記憶される。又、地図出力プログラムが地図出力装置１の中央処理制御装置１０１に読み込まれ実行されることによって、障害設備出力手段１１、関係エリア出力手段１２、初期化手段１３、地図出力手段１４が地図出力装置１に実装される。
【００２６】
図１に示す地図出力装置１の機能ブロック図では、記憶装置１０７ａに設備データ２１、エリアデータ２２及び地図データ２３が記憶され、記憶装置１０７ｂに障害設備データ３１、関係エリアデータ３２、初期化データ３３及び出力データ３４が記憶されるように図示されているが、これらのデータは一つの記憶装置に記憶されても良い。
【００２７】
設備データ２１は、図３に示すデータ構造とデータの一例を備える。設備データ２１は、電力需要者に電力を供給する変電所の識別子と、変電所と関係のある設備の識別子とが関連づけられたデータである。
【００２８】
例えば、図４に示すような電力を供給する変電所と送電線の関係があるとする。この場合、「Ａ送電線」は「Ａ変電所」及び「Ｂ変電所」に電力を供給しているので、「Ａ送電線」の障害は「Ａ変電所」及び「Ｂ変電所」にも波及する。同様に、「Ｂ送電線」は「Ｃ変電所」、「Ｅ変電所」及び「Ｆ変電所」に電力を供給しているので、「Ｂ送電線」の障害は「Ｃ変電所」、「Ｅ変電所」及び「Ｆ変電所」にも波及し、「Ｃ送電線」は「Ｄ変電所」及び「Ｇ変電所」に電力を供給しているので、「Ｃ送電線」の障害は「Ｄ変電所」及び「Ｇ変電所」にも波及する。
【００２９】
この場合、図３に示すように、「Ａ送電線」の識別子には、「Ａ変電所」の識別子及び「Ｂ変電所」の識別子が、「Ｂ送電線」の識別子には、「Ｃ変電所」の識別子、「Ｅ変電所」の識別子及び「Ｆ変電所」の識別子が関連づけられている。「Ｃ送電線」の識別子には、「Ｄ変電所」の識別子及び「Ｇ変電所」の識別子が関連づけられている。一方、変電所は他の設備には影響を与えないので、「Ａ変電所」の識別子乃至「Ｇ変電所」の識別子には、「Ａ変電所」の識別子乃至「Ｇ変電所」の識別子のみが関連づけられている。
【００３０】
ここでは、単純に各変電所が一つの送電線のみから電力が供給される場合について記載しているが、一つの変電所が複数の送電線から電力を供給する場合にも、その送電線と影響を受ける変電所の相関関係が設備データ２１に反映される。
【００３１】
エリアデータ２２は、図５に示すデータ構造とデータの一例を備える。エリアデータ２２は、変電所の識別子と、変電所に電力を供給する地域を含むエリアの識別子が関連づけられている。
【００３２】
例えば、図４に示すような電力を供給する変電所とエリアの関係があるとする。この場合、「Ａ変電所」は「あエリア」のみに、「Ｃ変電所」は「いエリア」のみに、Ｇ変電所は「さエリア」のみに電力を供給する。一方、Ｂ変電所は「あエリア」と「おエリア」に、「Ｄ変電所」は「えエリア」と「くエリア」に、「Ｆ変電所」は、「けエリア」と「こエリア」に電力を供給している。
【００３３】
又、本発明の最良の実施の形態に係る地図出力装置１は、「あエリア」から「しエリア」の１２のエリアと、「あエリア」から「しエリア」の全てを備える「全エリア」と、「あエリア」、「いエリア」、「うエリア」、「おエリア」、「かエリア」及び「きエリア」を備える「西エリア」と、「えエリア」及び「くエリア」を備える「東エリア」と、「けエリア」、「こエリア」、「さエリア」及び「しエリア」を備える「南エリア」の合計１６のエリアの地図から、関係するエリアの地図を出力する。
【００３４】
従って、図５に示すように「Ｂ変電所」の識別子には、「全エリア」、「西エリア」、「あエリア」及び「おエリア」の各識別子が関連づけられている。
【００３５】
地図データ２３は、本発明の最良の実施の形態に係る地図出力装置１が出力するエリア毎に、図６に示すようなデータの構成を備える。具体的には、地図データは、配電用変電所の供給エリアを示すオブジェクトを含むレイヤー９の他に、地図データに表示する電鉄駅マーク、電鉄駅名などの当該エリアを説明する文言を含むレイヤーを備え、エリアの識別子に関連づけられて記憶されている。レイヤー９においては、変電所の識別子と、変電所が電力を供給する地域のオブジェクトが関連づけられている。
【００３６】
障害設備出力手段１１は、操作者の操作によって、入力装置１０４から障害が発生した設備の識別子が入力されると、記憶装置１０７ａから設備データ２１を読み出して、入力された設備の識別子に関連づけられた変電所の識別子を抽出して、障害設備データ３１として記憶装置１０７ｂに記憶する。障害設備出力手段１１は、更にエリアデータ２２も読み出して、変電所の識別子と当該変電所が含まれるエリアの識別子を関連づけるとともに、変電所の識別子毎にフラグカラムを設け、入力装置１０４から入力された障害が発生した設備に関連する変電所の識別子にフラグを設けた障害設備データ３１を出力しても良い。更に障害設備出力手段１１は、入力装置１０４から障害が発生した設備の識別子と設備によって影響を受けたエリアを塗り分ける属性識別子が入力されると、記憶装置１０７ａから設備データ２１を読み出して、入力された設備の識別子に関連づけられた変電所の識別子を抽出して、入力された色、模様などの属性の識別子と関連づけて障害設備データ３１として記憶装置１０７ｂに記憶する。例えば、入力装置１０４からオブジェクト毎に復旧に要する時間に基づく値が入力されると、障害設備出力手段１１は、早急に復旧が見込まれるエリアについては、フラグに緑色を設定し、復旧に時間を要するエリアについてはフラグに赤色を設定する。
【００３７】
ここで、「塗り分け」とは、地図データに含まれるオブジェクトに設けられた色又は模様などの属性を設定することである。具体的には、「塗り分け」とは、白や黒、赤などの色を属性として設定したり、水玉、斜線などのハッチング模様の属性を設定する。これにより、地図データを表示装置に表示した場合に、設定された属性に従ってオブジェクトが表示されるので、他のオブジェクトと識別することができる。
【００３８】
障害設備データ３１は、図７に示すデータ構造とデータの一例を備える。図７に示す障害設備データ３１では、各変電所の識別子とその変電所が含まれるエリアの識別子が関連づけられている。図７に示す障害設備データ３１は、障害設備出力手段１１において入力装置１０４から「Ｂ変電所」と入力された場合のデータであって、「Ｂ変電所」の識別子に関連づけられたフラグカラムにフラグ「１」が設定されている。このフラグは、「Ｂ変電所」が供給しているエリアに対応するオブジェクトを塗り分ける属性に応じて複数の値が設定される。
【００３９】
図８を参照して、障害設備出力手段１１による障害設備処理を説明する。  
まず、ステップＳ１０１において、入力装置１０４から障害設備の入力を待機する。障害設備が入力されると、ステップＳ１０２において、記憶装置から設備データ２１が読み出され、ステップＳ１０３において、入力された障害設備に関連づけられた関係変電所名が抽出される。このとき、記憶装置１０７ａからエリアデータ２２も読み出され、関係変電所が含まれるエリアの識別子が関係する変電所の識別子に関連づけられても良い。関係変電所名が抽出され、抽出された関係変電所名に対応するフラグに設定する値が入力されると、関係する変電所の識別子と入力された値が関連づけられた障害設備データ３１が記憶装置１０７ｂに記憶される。
【００４０】
関係エリア出力手段１２は、記憶装置１０７ｂから障害設備データ３１及びエリアデータ２２を読み出して、障害設備データ３１に含まれる変電所の識別子に関連づけられたエリアの識別子を抽出して関係エリアデータ３２として記憶装置１０７ｂに記憶する。
【００４１】
関係エリアデータ３２は、図９に示すデータ構造とデータの一例を備える。図９に示す関係エリアデータ３２は、地図出力装置１が出力可能なエリアの識別子とフラグが設定されている。地図出力装置１は、関係エリアデータ３２においてフラグが「ＴＲＵＥ」に設定されているエリアの地図データを出力する。例えば、図９に示す例では、「全エリア」、「西エリア」、「あエリア」及び「おエリア」のフラグが「ＴＲＵＥ」に設定されているので、地図出力装置１は、「全エリア」、「西エリア」、「あエリア」及び「おエリア」の地図を出力する。
【００４２】
図１０を参照して、関係エリア出力手段１２による関係エリア出力処理を説明する。  
まず、ステップＳ２０１において、全てのエリアに対するフラグを「ＦＡＬＳＥ」に設定することにより、初期化する。更に、ステップＳ２０２において記憶装置１０７ｂから障害設備データ３１を読み出すとともに、ステップＳ２０３において記憶装置１０７ｂから関係エリアデータ３２を読み出す。  
次に、ステップＳ２０２において読み出された障害設備データ３１について、ステップＳ２０４乃至ステップＳ２０６の処理が繰り返される。具体的には、ステップＳ２０４において、当該変電所の識別子に関連づけられたフラグが「ＮＵＬＬ」であるか否かが判定される。フラグが「ＮＵＬＬ」である場合、具体的には、障害設備出力手段１１によって障害発生設備を示すフラグが設定されなかった場合、当該変電所の識別子に関する処理は終了し、新たな変電所の識別子について処理を繰り返す。一方、フラグが「ＮＵＬＬ」でない場合、具体的には、障害設備出力手段１１によって障害発生設備を示すフラグが設定された場合、当該故障設備に関連するエリアを抽出する。更にステップＳ２０６において、ステップＳ２０５において抽出された全てのエリアについて、フラグを「ＴＲＵＥ」に設定する。具体的には、「Ｂ変電所」について処理した場合、「全エリア」、「西エリア」、「あエリア」及び「おエリア」の各エリアのフラグが「ＴＲＵＥ」に設定される。ステップＳ２０４乃至ステップＳ２０６の処理を全ての故障設備について実行することにより、地図出力装置１が出力する地図を抽出することができる。  
更に、ステップＳ２０７において、全てのエリアに対するフラグを、関係エリアデータ３２として記憶装置１０７ｂに記憶する。ここでは、図９に示すように、エリアの識別子とフラグの値を対応づけて記憶したが、地図を出力するエリアの識別子のみを関係エリアデータ３２として出力しても良い。この場合、関係エリアデータ３２には、「全エリア」、「西エリア」、「あエリア」及び「おエリア」とエリアの識別子のみが記憶される。
【００４３】
初期化手段１３は、記憶装置１０７ａから地図データ２３を読み出して、地図データ２３を地図データの地色で塗りつぶした後、エリアを説明する文言を含むレイヤーに対する塗りつぶしを解除した初期化データ３３を記憶装置１０７ｂに記憶する。このとき、初期化手段１３は、関係エリアデータ３２において、フラグに「ＴＲＵＥ」が設定されたエリアの地図データについて処理することが好ましい。具体的には、図６に示す全てのレイヤーについて地色で塗りつぶし、図１１に示すように、レイヤー２乃至レイヤー８をグループ化して、グループ化されたレイヤーの塗りつぶしを解除する。これにより、配電用変電所供給エリアについて地色で塗りつぶされ、障害が発生した変電所によって電力が供給されるエリアのみを塗り分けることができる。
【００４４】
図１２を参照して、初期化手段１３による初期化処理を説明する。  
まず、ステップＳ３０１において、記憶装置１０７ｂから関係エリアデータ３２を読み出し、関係エリアデータ３２においてフラグに「ＴＲＵＥ」が設定されたエリアについて、ステップＳ３０２乃至ステップＳ３０５の処理を繰り返す。  
具体的には、ステップＳ３０２において、記憶装置１０７ａから地図データ２３を読み出し、当該エリアの地図データを抽出する。更に、ステップＳ３０３において当該エリアの地図データを地色で塗りつぶし、ステップＳ３０４において、説明の文言が含まれたレイヤーがグループ化されたマスクが選択され、このマスクの塗りつぶしが解除される。この地図データがステップＳ３０５において初期化データ３３としてエリアの識別子に関連づけられて記憶装置１０７ｂに記憶される。
【００４５】
地図出力手段１４は、記憶装置１０７ｂから初期化データ３３及び障害設備データ３１を読み出して、障害設備データ３１に含まれた変電所の識別子に該当する地域を塗り分ける出力データ３４を記憶装置１０７ｂに記憶する。このとき地図出力手段１４は、に記憶装置１０７ｂから関係エリアデータ３２を読み出して、関係エリアデータ３２に含まれるエリアの識別子に関連づけられた初期化データ３３を抽出して、出力データ３４を記憶装置１０７ｂに記憶することが好ましい。更に地図出力手段１４は、記憶装置１０７ｂから初期化データ３３及び障害設備データ３１を読み出して、障害設備データ３１に含まれた変電所の識別子に該当する地域を、障害設備データ３１で関連づけられた属性の識別子で塗り分けた出力データ３４を記憶装置１０７ｂに記憶することが好ましい。
【００４６】
図１３を参照して、地図出力手段１４による地図出力処理を説明する。  
まず、ステップＳ４０１において、記憶装置１０７ｂから障害設備データ３１、関係エリアデータ３２及び初期化データ３３を読み出す。障害設備データの各設備についてステップＳ４０２乃至ステップＳ４０７の処理が繰り返される。具体的には、ステップＳ４０２において、当該変電所の識別子に関連づけられたフラグが「ＮＵＬＬ」であるか否かが判定される。フラグが「ＮＵＬＬ」である場合、具体的には、障害設備出力手段１１によって障害発生設備を示すフラグが設定されなかった場合、当該変電所の識別子に関する処理は終了し、新たな変電所の識別子について処理を繰り返す。一方、フラグが「ＮＵＬＬ」でない場合、具体的には、障害設備出力手段１１によって障害発生設備を示すフラグが設定された場合、ステップＳ４０４において当該変電所の識別子を抽出する。障害設備データ３１の当該変電所の識別子に関連づけられた関係エリアについて、ステップＳ４０５に足ステップＳ４０６の処理を繰り返す。具体的には、ステップＳ４０５において、関係エリアカラムが「ＮＵＬＬ」である場合、当該関係エリアに関する処理は終了し、新たな関係エリアについて処理を繰り返す。一方、フラグが「ＮＵＬＬ」でない場合、ステップＳ４０６において、初期化データ３３からこの関係エリアの識別子に関連づけられた地図データを取得し、ステップＳ４０７において、初期化データ３３において、ステップＳ４０４で抽出された変電所識別子に該当するオブジェクトを、障害設備データ３１のフラグカラムで関連づけられた属性で塗り分けされた出力データを出力する。
【００４７】
この様に、障害設備データ３１においてフラグが「ＮＵＬＬ」でない変電所識別子の全てについて、関係エリアの変電所識別子に関連づけられたオブジェクトについて塗り分けがなされた出力データ３４が記憶装置１０７ｂに記憶されると、ステップＳ４０８において、図１８に示すような事故情報を出力する。このとき、事故情報には、図３に示す設備データ２１の関係支店、件名用メッセージ等が含まれる。
【００４８】
図１４乃至図１８に示す地図が、本発明の最良の実施の形態に係る地図出力手段１４によって出力される。図１４乃至図１８に示す地図は、図３に示す設備データ２１において、「変電所Ｂ」に障害が発生し、「変電所Ｂ」が電力を供給しているエリアを塗り分ける場合の地図である。図５に示すエリアデータ２２において、「変電所Ｂ」は、「全エリア」、「西エリア」、「あエリア」及び「おエリア」に関連づけられているので、図１４に示す「全エリア」の地図、図１５に示す「西エリア」の地図、図１６に示す「あエリア」の地図、図１７に示す「おエリア」の地図が出力される。
【００４９】
この様な本発明の最良の実施の形態に係る地図出力装置１によれば、設備に障害が発生すると、その障害の影響を受ける設備及び影響を受けるエリアを抽出し、そのエリアが任意の属性で塗り分けた地図を出力することができる。
【００５０】
（変形例）
本発明の最良の実施の形態に係る地図出力装置１では、設備に障害が発生すると、その障害の影響を受ける設備及び影響を受けるエリアの地図を出力する場合について説明したが、本発明の最良の実施の形態の変形例では、変電所が電力を供給する任意のエリアを地図に反映することのできる地図出力装置を説明する。
【００５１】
この場合、エリアデータ２２には、変電所の識別子と、変電所によって電力が供給されるエリアを含むエリアの識別子とが関連づけられている。
【００５２】
地図データ２３には、エリアの識別子と、変電所の識別子と、変電所が電力を供給する地域のオブジェクトが関連づけられている。
【００５３】
このとき、地図出力手段１４は、入力装置１０４から変電所の識別子が入力されると、記憶装置１０７ａからエリアデータ２２を読み出して、入力された変電所の識別子に関連づけられたエリアデータ２２を抽出するとともに、記憶装置１０７ａから地図データ２３を読み出して、入力された変電所の識別子に該当する地域を塗り分けた出力データ３４をエリアの識別子毎に記憶装置１０７ｂに記憶する。
【００５４】
本発明の最良の実施の形態の変形例によれば、変電所が電力を供給する任意のエリアを入力することにより、当該エリアが塗り分けられた地図を出力することができる。
【００５５】
（その他の実施の形態）
上記のように、本発明の最良の実施の形態及び変形例とによって記載したが、この開示の一部をなす論述及び図面はこの発明を限定するものであると理解すべきではない。この開示から当業者には様々な代替実施の形態、実施例及び運用技術が明らかとなる。
【００５６】
例えば、本発明の最良の実施の形態に記載した地図出力装置は、図１に示すように一つのハードウェア上に構成されても良いし、その機能や処理数に応じて複数のハードウェア上に構成されても良い。又、他用途で使用されるコンピュータ上に実現されても良い。
【００５７】
本発明はここでは記載していない様々な実施の形態等を含むことは勿論である。従って、本発明の技術的範囲は上記の説明から妥当な特許請求の範囲に係る発明特定事項によってのみ定められるものである。
【図面の簡単な説明】
【００５８】
【図１】本発明の最良の実施の形態に係る地図出力装置の機能ブロック図である。
【図２】本発明の最良の実施の形態に係る地図出力装置のハードウェア構成図である。
【図３】本発明の最良の実施の形態に係る設備データのデータ構造とデータの一例である。
【図４】本発明の最良の実施の形態に係る地図出力装置において、設備とエリアの相関関係を説明する図である。
【図５】本発明の最良の実施の形態に係るエリアデータのデータ構造とデータの一例である。
【図６】本発明の最良の実施の形態に係る地図データの説明図である。
【図７】本発明の最良の実施の形態に係る障害設備データのデータ構造とデータの一例である。
【図８】本発明の最良の実施の形態に係る障害設備出力処理を説明するフローチャートである。
【図９】本発明の最良の実施の形態に係る関係エリア出力処理を説明するフローチャートである。
【図１０】本発明の最良の実施の形態に係る関係エリアデータのデータ構造とデータの一例である。
【図１１】本発明の最良の実施の形態に係る地図データがマスク処理された場合の説明図である。
【図１２】本発明の最良の実施の形態に係る初期化処理を説明するフローチャートである。
【図１３】本発明の最良の実施の形態に係る地図出力処理を説明するフローチャートである。
【図１４】本発明の最良の実施の形態に係る地図出力処理装置によって出力される地図の一例である。（その１）
【図１５】本発明の最良の実施の形態に係る地図出力処理装置によって出力される地図の一例である。（その２）
【図１６】本発明の最良の実施の形態に係る地図出力処理装置によって出力される地図の一例である。（その３）
【図１７】本発明の最良の実施の形態に係る地図出力処理装置によって出力される地図の一例である。（その４）
【図１８】電力を供給するシステムで障害が発生した場合に提示される事故速報の一例である。
【符号の説明】
【００５９】
１…地図出力装置
１１…障害設備出力手段
１２…関係エリア出力手段
１３…初期化手段
１４…地図出力手段
２１…設備データ
２２…エリアデータ
２３…地図データ
３１…障害設備データ
３２…関係エリアデータ
３３…初期化データ
３４…出力データ
１０１…中央処理制御装置
１０２…ＲＯＭ
１０３…ＲＡＭ
１０４…入力装置
１０５…表示装置
１０６…通信制御装置
１０７、１０７ａ、１０７ｂ…記憶装置
１０８…リムーバブルディスク
１０９…入出力インタフェース
１１０…バス
【図１】
2007080218.tif 000003
【図２】
2007080218.tif 000004
【図３】
2007080218.tif 000005
【図４】
2007080218.tif 000006
【図５】
2007080218.tif 000007
【図６】
2007080218.tif 000008
【図７】
2007080218.tif 000009
【図８】
2007080218.tif 000010
【図９】
2007080218.tif 000011
【図１０】
2007080218.tif 000012
【図１１】
2007080218.tif 000013
【図１２】
2007080218.tif 000014
【図１３】
2007080218.tif 000015
【図１４】
2007080218.tif 000016
【図１５】
2007080218.tif 000017
【図１６】
2007080218.tif 000018
【図１７】
2007080218.tif 000019
【図１８】
2007080218.tif 000020